(57)【要約】      （修正有）【課題】高さ寸法を抑えることができる折板屋根用支持金具を提供する。【解決手段】下の折板屋根５１Ａのハゼ部６８に、雄螺子部５を有するボルト４により固定する固定部２と、固定部の上に連結され上の折板屋根５１のハゼ部６８を固定する吊子３とを備え、固定部２は、上面部１１と、上面部の一側から下方に向かって設けられた一側側面部１２と、一側側面部に設けられハゼ部の一側に係止する係止部１４と、上面部の他側から下方に向かって設けられた他側側面部１３とを備え、他側側面部に雌螺子孔１５を設け、先端５Ｓがハゼ部の他側に圧接する雄螺子部５を、雌螺子孔１５に螺合した。係止部１４をハゼ部の一側に係止し、ボルトの先端５Ｓをハゼ部の他側に圧接することにより、下の折板屋根のハゼ部に固定部２を高さを抑えて固定できる。【選択図】図１
0003211090.tif 000002
【実用新案登録請求の範囲】
【請求項１】
下の折板屋根上に上の折板屋根を固定する折板屋根用支持金具において、
下の折板屋根のハゼ部に、雄螺子部を有する締付具により固定する固定部と、この固定部の上に連結され上の折板屋根のハゼ部を固定する吊子とを備え、
前記固定部は、上面部と、この上面部の一側から下方に向かって設けられた一側側面部と、この一側側面部に設けられ前記ハゼ部の一側に係止する係止部と、前記上面部の他側から下方に向かって設けられた他側側面部とを備え、
前記他側側面部に雌螺子孔を設け、先端が前記ハゼ部の他側に圧接する前記雄螺子部を、前記雌螺子孔に螺合したことを特徴とする折板屋根用支持金具。
【請求項２】
前記上面部に雄螺子棒を突設し、
前記吊子は、前記上面部の上に重ね合わせる底部と、この底部の一側縁に設けた立ち上り部と、この立ち上り部の頂部に設けられ互いに隣接する折板屋根材の下ハゼ部と上ハゼ部との間に挟み込まれる吊子ハゼ部と、前記雄螺子棒が挿通される挿通孔と、この挿通孔に挿通した前記雄螺子棒に螺合され前記固定部に前記吊子を固定するナットとを備えることを特徴とする請求項１記載の折板屋根用支持金具。
【請求項３】
前記一側側面部には透孔が設けられ、
この透孔に挿通され前記ハゼ部に挿通固定する固着具を備えることを特徴とする請求項１又は２記載の折板屋根用支持金具。
【請求項４】
前記一側側面部には、前記雌螺子孔を挟んだ両側に透孔が設けられ、
これら透孔にそれぞれ挿通され前記ハゼ部の首部に螺合するタッピングネジ又はドリルネジを備えることを特徴とする請求項２記載の折板屋根用支持金具。
【請求項５】
前記一側側面部は、前記上面部に連続して設けられた前記係止部と、この係止部から下方に向かって設けられ前記吊子ハゼ部の首部の一側に当接する一側側面下部とを備え、前記ハゼ部の一側に前記係止部が係止した状態で前記上面部の下面が前記ハゼ部の上部に当接し、前記一側側面部の前記一側側面下部側に前記透孔を設けたことを特徴とする請求項４記載の折板屋根用支持金具。
【請求項６】
前記雄螺子部の表面に、接着剤がマイクロカプセル化された接着剤層を設けたことを特徴とする請求項１〜５のいずれか１項に記載の折板屋根用支持金具。
【考案の詳細な説明】
【技術分野】
【０００１】
本考案は、下の折板屋根に上の折板屋根を固定する折板屋根用支持金具に関する。
【背景技術】
【０００２】
従来、既設の金属折板屋根が長期に使用により老朽化した場合、既設折板屋根の上側に、支持金具により新設の折板屋根を設ける補修折板屋根（例えば特許文献１）が知られている。
【０００３】
また、新設の折板屋根の支持金具として、折板屋根上に上の断熱材取付折板を二重状態に被覆固定した支持金具であって、一対の挟着部材を挟着面を合わせて締付部材により連結し、この挟着部材に吊子の下部を固定し、吊子の上部を上の取付折板の折板重合連結突出部（ハゼ部）と係合し、前記挟着部材の下部により下の折板重合連結突出部（ハゼ部）を挟着する支持金具がある（例えば特許文献２）。
【０００４】
上記支持金具では、縦方向の吊子の下部を、縦方向に設けた一対の挟着部材により挟んで締付固定する構造であるため、縦方向の寸法を抑えることが難しく、下の折板屋根と一体化するため近い位置に上の折板屋根を設けたい場合でも、屋根全体の厚さが大きくなり、屋根の厚さ寸法を抑えることができないという問題がある。
【先行技術文献】
【特許文献】
【０００５】
【特許文献１】特開平１−１４２１５３号公報
【特許文献２】実開平４−３９２１８号公報
【考案の開示】
【考案が解決しようとする課題】
【０００６】
そこで、本考案は、上記問題点を解決するものであり、高さ寸法を抑えることができる折板屋根用支持金具を提供することを目的とする。
【課題を解決するための手段】
【０００７】
請求項１の考案は、下の折板屋根上に上の折板屋根を固定する折板屋根用支持金具において、下の折板屋根のハゼ部に、雄螺子部を有する締付具により固定する固定部と、この固定部の上に連結され上の折板屋根のハゼ部を固定する吊子とを備え、前記固定部は、上面部と、この上面部の一側から下方に向かって設けられた一側側面部と、この一側側面部に設けられ前記ハゼ部の一側に係止する係止部と、前記上面部の他側から下方に向かって設けられた他側側面部とを備え、前記他側側面部に雌螺子孔を設け、先端が前記ハゼ部の他側に圧接する前記雄螺子部を、前記雌螺子孔に螺合したことを特徴とする。
【０００８】
請求項１の構成によれば、係止部をハゼ部の一側に係止し、締付具の先端をハゼ部の他側に圧接することにより、下の折板屋根のハゼ部に固定部を固定し、この固定部に吊子を連結することにより高さ寸法を抑えることができる。
【０００９】
請求項２の考案は、前記上面部に雄螺子棒を突設し、前記吊子は、前記上面部の上に重ね合わせる底部と、この底部の一側縁に設けた立ち上り部と、この立ち上り部の頂部に設けられ互いに隣接する折板屋根材の下ハゼ部と上ハゼ部との間に挟み込まれる吊子ハゼ部と、前記雄螺子棒が挿通される挿通孔と、この挿通孔に挿通した前記雄螺子棒に螺合され前記固定部に前記吊子を固定するナットとを備えることを特徴とする。
【００１０】
請求項２の構成によれば、固定部の上面部の上に吊子の底部を重ね合わせて固定することにより高さ寸法を抑えることができ、雄螺子棒にナットを螺合することにより、固定部に吊子を連結固定することができる。
【００１１】
請求項３の考案は、前記一側側面部には透孔が設けられ、この透孔に挿通され前記ハゼ部に挿通固定する固着具を備えることを特徴とする。
【００１２】
請求項３の構成によれば、締付具の反対側から固着具をハゼ部に挿通固定することにより、下の折板屋根に支持金具が強固に固定される。
【００１３】
請求項４の考案は、前記一側側面部には、前記雌螺子孔を挟んだ両側に透孔が設けられ、これら透孔にそれぞれ挿通され前記ハゼ部の首部に螺合するタッピングネジ又はドリルネジを備えることを特徴とする。
【００１４】
請求項４の構成によれば、締付具を挟む両側で反対側からタッピングネジ又はドリルネジをハゼ部の首部に螺合することにより、下の折板屋根に支持金具が均一且つ強固に固定される。
【００１５】
請求項５の考案は、前記一側側面部は、前記上面部に連続して設けられた前記係止部と、この係止部から下方に向かって設けられ前記吊子ハゼ部の首部の一側に当接する一側側面下部とを備え、前記ハゼ部の一側に前記係止部が係止した状態で前記上面部の下面が前記ハゼ部の上部に当接し、前記一側側面部の前記一側側面下部側に前記透孔を設けたことを特徴とする。
【００１６】
請求項５の構成によれば、一側においてハゼ部の一側に係止部が係止すると共に、一側の一側側面下部が首部に当接し、ハゼ部の他側に圧接すると締付具と協働して固定部とハゼ部を強固に一体化する固定構造が得られ、また、一側側面下部側にタッピングネジ又はドリルネジの透孔を設けることにより、係止部による係止を損なうことなく、タッピングネジ又はドリルネジを首部に螺合することができ、さらに、固定部の上面部がハゼ部の上部に当接するため、固定部の高さを抑えることができる。
【００１７】
請求項６の考案は、前記雄螺子部の表面に、接着剤がマイクロカプセル化された接着剤層を設けたことを特徴とする。
【００１８】
請求項６の構成によれば、雌螺子孔に雄螺子部を螺合させる際、雄螺子部の表面に設けられている接着剤層も雌螺子孔に入り込み、この結果、接着剤層にあるマイクロカプセルが破壊して接着剤がにじみ出て、接着剤が雌螺子孔と雄螺子部とに介在して両者を固着でき、風等による振動などによって締付具が緩むことを締付具を締めるだけで確実に防止することができる。
【考案の効果】
【００１９】
固定部の上に吊子を連結することにより全体として折板屋根用支持金具の高さ寸法を抑えることができる。
【図面の簡単な説明】
【００２０】
【図１】本考案の実施例１を示す支持金具の使用状態を示す屋根構造の要部の断面図である。
【図２】同上、支持金具の分解斜視図である。
【図３】同上、支持金具の斜視図である。
【図４】同上、折板屋根材の断面図である。
【図５】本考案の実施例２を示す支持金具の使用状態を示す屋根構造の要部の断面図である。
【考案を実施するための形態】
【００２１】
本考案における好適な実施の形態について、添付図面を参照しながら詳細に説明する。尚、以下に説明する実施の形態は、実用新案登録請求の範囲に記載された本考案の内容を限定するものではない。また、以下に説明される構成の全てが、本考案の必須要件であるとは限らない。各実施例では、従来とは異なる新規な折板屋根用支持金具を採用することにより、従来にない折板屋根用支持金具が得られ、その折板屋根用支持金具について記述する。
【実施例１】
【００２２】
以下、本考案の実施例を添付図面を参照して説明する。図１〜図４は本考案の実施例１を示す。同図に示すように、折板屋根用支持金具１は、下の折板屋根５１Ａのハゼ部６８に固定される金属製の固定部２と、この固定部２の上に連結され、上の折板屋根５１のハゼ部６８を固定する金属製の吊子３とを備え、この吊子３が前記固定部２の上に連結されている。また、前記固定部２は、締付具たるボルト４により下の折板屋根５１Ａのハゼ部６８に固定され、前記ボルト４は雄螺子部５を有する。
【００２３】
前記固定部２は幅方向が略一定な金属板を屈曲形成してなり、上面部１１と、この上面部１１の一側下方に設けられた一側側面部（一側の側面部）１２と、前記上面部１１の他側から下向きで縦方向に設けた他側側面部（他側の側面部）１３とを備える。前記一側側面部１２は、前記上面部１１に連続して湾曲状に屈曲して折り返した係止部１４と、この係止部１４の端部から斜め他側下向きに設けた一側側面下部１２Ｋとを備える。尚、前記一側側面部１２と他側側面部１３が水平面に接地した状態で、前記上面部１１は他側より一側が僅かに高くなる。尚、係止部１４は前記ハゼ部６８に対応した形状に形成される。
【００２４】
前記係止部１４は、下の折板屋根５１Ａのハゼ部６８の一側の先端側に外嵌し、この状態でこのハゼ部６８の上面が前記上面部１１の下面に当接又は近接し、この例では当接する。このように固定部２の高さはハゼ部６８の高さと略同一である。
【００２５】
また、前記他側側面部１３の幅方向中央には、前記ボルト４が螺合する雌螺子孔１５が形成され、この雌螺子孔１５は、該雌螺子孔１５に螺合した雄螺子部５の先端５Ｓが前記一側側面部１２の内面に対応するように設けられている。そして、前記先端５Ｓが前記一側側面部１２と共にハゼ部６８の首部６８Ｋを挟持する他側挟持部であり、前記一側側面部１２が一側挟持部である。
【００２６】
前記固定部２の前記上面部１１の幅方向中央には、透孔１６が穿設され、この透孔１６に連結手段たる雄螺子棒１７を挿通すると共に、この雄螺子棒１７の上端側を上面部１１から上方に突出し、その雄螺子棒１７の下端には鍔部１８が一体に設けられ、この鍔部１８が溶着などにより上面部１１の下面に固定されている。
【００２７】
前記吊子３は、吊子本体２１と補強部材２２とを備える。前記吊子本体２１は、横方向の底部２３を構成する平板状の本体側底板部２４と、この本体側底板部２４の一側の側縁から立ち上る立ち上り部２５と、この立ち上り部２５の上端側に、水平方向に折り曲げると共に、先端を下側に折り曲げた吊子ハゼ部２６が形成され、この吊子ハゼ部２６が下ハゼ部５７と上ハゼ部６７に挟み込まれる。前記本体側底板部２４には、一側・他側の長さ方向に長い本体側挿通孔２７が穿設されている。また、前記立ち上り部２５は下方から上方に向かって拡大形成されている。
【００２８】
前記補強部材２２は、前記底部２３を構成する補強側底板部３１と、前記立ち上り部２５に沿って立設する補強部３２とを一体に備える。前記補強側底板部３１には、前記本体側挿通孔２７と連通する補強側挿通孔３４が穿設されている。そして、この例では、前記本体側底板部２４と補強側底板部３１とにより、吊子３の底部２３を構成し、前記本体側及び補強側挿通孔２７，３４により、挿通孔３３を構成している。
【００２９】
前記上面部１１に前記底部２３を重ね合わせると共に、挿通孔３３に雄螺子棒１７を挿通し、この雄螺子棒１７にナット３５を螺合して固定部２に吊子３を連結固定する。尚、前記ナット３５は座金部３６を一体に備え、この座金部３６の下面には緩み止め防止用の凹凸部（図示せず）が複数形成されている。
【００３０】
さらに、前記雄螺子部５の表面には接着剤層３８が設けられている。この接着剤層３８は、接着剤がマイクロカプセル化されたものである。そして、図１で示したように、雄螺子部５の先端５Ｓがハゼ部６８の首部６８Ｋに圧接した位置で、雄螺子部５には、雌螺子孔１５を挟んだ両側に接着剤層３８が設けられている。
【００３１】
したがって、雄螺子部５を締めて先端５Ｓが首部６８Ｋに当たるまでに雌螺子孔１５に螺合する雄螺子部５との摩擦により、マイクロカプセル化されて分離された接着剤が化学反応を起こし接着効果が生まれるというものであり、この接着剤層３８は塗布や吹き付けによって薄く設けたものである。
【００３２】
前記一側側面下部１２Ｋには、前記雌螺子孔１５の位置をハゼ部６８の幅向両側から挟む位置に、対をなす透孔４１，４１を穿設し、前記透孔４１には固着具４２が挿通される。この固着具４２は、タッピングネジやドリルネジ（セルフドリルネジ）などが例示され、頭部４３を一体に有し、この頭部４３はプラス溝などの工具係合部（図示せず）を有する。そして、前記透孔４１に挿通した固着具４２を、前記ハゼ部６８の首部６８Ｋに螺合して挿通固定する。この場合、ドリルなどの孔開け手段（図示せず）により、首部６８Ｋに固着具４２より若干小さい案内孔（図示せず）を開け、この案内孔に固着具４２を螺合することにより、固着具４２を首部６８Ｋに捩じ込み易くなる。尚、案内孔を設けずに、首部６８Ｋに固着具４２を捩じ込んでもよい。また、本実施例では、タッピングネジやドリルネジを透孔４１に通すだけであるが、透孔４１をタッピングネジやドリルネジより若干小さく形成し、この若干小さく形成した透孔に、タッピングネジやドリルネジを捩じ込んでもよい。
【００３３】
上下の折板屋根５１，５１Ａを構成する折板屋根材５２は、平面部５３の他端側を斜上方に折曲して他側傾斜部５４とし、この他側傾斜部５４の先端側を略横方向に伸長させて他側上面部５５とし、この他側上面部５５の先端側を垂直に折曲げて他側起立部５６とし、この他側起立部５６の上端を他側に水平に折曲げると共に先端を下側に折り返して下ハゼ部５７を形成している。
【００３４】
また、折板屋根材５２は、平面部５３の一端側を斜上方に折曲して一側傾斜部６４とし、この一側傾斜部６４の先端側を略横方向に伸長させて一側上面部６５とし、この一側上面部６５の先端側を垂直に折曲げて一側起立部６６とし、この一側起立部６６の上端側を水平に折曲げると共に、先端を下方に折り曲げて上ハゼ部６７を形成している。
【００３５】
下の折板屋根５１Ａは、隣り合う折板屋根材５２，５２の一方の下ハゼ部５７と他方の上ハゼ部６７をハゼ折りしてハゼ部６８を形成している。尚、この例では、下の折板屋根５１Ａは既設の折板屋根である。尚、下の折板屋根５１Ａのハゼ部６８は、図示しない吊子により屋根に固定されていてもよい。また、上の折板屋根５１は、前記隣り合う折板屋根材５２，５２の一方の下ハゼ部５７が吊子３の吊子ハゼ部２６に内側に嵌合し、他方の上ハゼ部６７が前記吊子３の吊子ハゼ部２６の外側に外嵌し、これらをハゼ折してハゼ部６８を形成する。
【００３６】
また、Ｈ形鋼材などからなる屋根下地材（図示せず）に溶接等の固着手段により金属製のタイトフレーム（図示せず）が固定され、このタイトフレームに、下の折板屋根５１Ａが固定されている。
【００３７】
次に、前記構成につきその作用を説明する。下の折板屋根５１Ａのハゼ部６８に固定部２を被せ、ハゼ部６８の先端側に係止部１４を係止する。次に、ボルト４を捩じ込み、ボルト４の雄螺子部５の先端５Ｓと一側側面部１２との間にハゼ部６８を挟持する。この状態で、係止部１４とハゼ部６８との係止により支持金具１の上下方向の位置決めがなされ、また、ボルト４と一側側面部１２によるハゼ部６８の挟持により支持金具１の平面における位置が位置決めされており、さらに、固着具４２，４２をハゼ部６８の首部６８Ｋに螺合することにより、高い固定強度が得られる。
【００３８】
また、ボルト４においては、雌螺子孔１５に螺合する雄螺子部５との摩擦により、マイクロカプセル化されて分離された接着剤においてマイクロカプセルが破壊して接着剤がにじみ出て、接着剤が雌螺子孔１５と雄螺子部５との間に介在して両者を固着して、緩み止めを行うことができる。この結果、風で発生する振動やその他の振動から螺子の緩みを防ぐことができる。
【００３９】
また、雄螺子棒１７は長孔である挿通孔３３に挿通されているから、ナット３５を緩めることにより、吊子３の位置調整を行うことができ、雄螺子棒１７は固定部２に固定されているから、位置調整後、雄螺子棒１７にナット３５を螺合することにより、固定部２と吊子３とを一体的に連結固定することができる。
【００４０】
そして、上の折板屋根材５２の上ハゼ部６７と下ハゼ部５７により、吊子３の吊子ハゼ部２６を挟みつけるようにハゼ折りして上の折板屋根５１のハゼ部６８を形成し、複数の支持金具１，１・・・により下の既設の折板屋根５１Ａの上に新設の折板屋根５１を設けることができる。
【００４１】
上記の屋根構造では、下のハゼ部６８の上部である上面に、固定部２の上面部１１の下面が当接し、下のハゼ部６８と略高さ寸法の等しい固定部２と、この固定部２の上面部１１に連結する横方向の底部２３を吊子３が有するため、支持金具１の高さ寸法を低く抑えることができる。
【００４２】
このように本実施例では、請求項１に対応して、下の折板屋根５１Ａに間隔を置いて上の折板屋根５１を固定する折板屋根用支持金具１において、下の折板屋根５１Ａのハゼ部６８に、雄螺子部５を有する締付具たるボルト４により固定する固定部２と、この固定部２の上に連結され上の折板屋根５１のハゼ部６８を固定する吊子３とを備え、固定部２は、上面部１１と、この上面部１１の一側から下方に向かって設けられた一側側面部１２と、この一側側面部１２に設けられハゼ部６８の一側に係止する係止部１４と、上面部１１の他側から下方に向かって設けられた他側側面部１３とを備え、他側側面部１３に雌螺子孔１５を設け、先端５Ｓがハゼ部６８の他側に圧接する雄螺子部５を、雌螺子孔１５に螺合したから、係止部１４をハゼ部６８の一側に係止し、締付具たるボルト４の先端５Ｓをハゼ部６８の他側に圧接することにより、下の折板屋根５１Ａのハゼ部６８に固定部２を固定し、この固定部２に吊子３を連結することにより高さ寸法を抑えることができる。
【００４３】
このように本実施例では、請求項２に対応して、上面部１１に雄螺子棒１７を突設し、吊子３は、上面部１１の上に重ね合わせる底部２３と、この底部２３の一側縁に設けた立ち上り部２５と、この立ち上り部２５の頂部に設けられ互いに隣接する折板屋根材５２の下ハゼ部５７と上ハゼ部６７との間に挟み込まれる吊子ハゼ部２６と、雄螺子棒１７が挿通される挿通孔３３と、この挿通孔３３に挿通した雄螺子棒１７に螺合され固定部２に吊子３を固定するナット３５とを備えるから、固定部２の上面部１１の上に吊子３の底部２３を重ね合わせて固定することにより高さ寸法を抑えることができ、雄螺子棒１７にナット３５を螺合することにより、固定部２に吊子３を連結固定することができる。
【００４４】
このように本実施例では、請求項３に対応して、一側側面部１２には透孔４１が設けられ、この透孔４１に挿通されハゼ部６８に螺合するタッピングネジ又はドリルネジなどの固着具４２を備えるから、ボルト４の反対側から固着具４２をハゼ部６８に挿通することにより、下の折板屋根５１Ａに支持金具１が強固に固定される。
【００４５】
このように本実施例では、請求項４に対応して、一側側面部１２には、雌螺子孔１５を挟んだ両側に透孔４１，４１が設けられ、これら透孔４１，４１にそれぞれ挿通されハゼ部６８の首部６８Ｋに螺合する固着具４２を備えるから、締付具たるボルト４を挟む両側で反対側から固着具４２であるタッピングネジ又はドリルネジをハゼ部６８に螺合することにより、下の折板屋根５１Ａに支持金具１が均一且つ強固に固定される。
【００４６】
このように本実施例では、請求項５に対応して、一側側面部１２は、上面部１１に連続して設けられた係止部１４と、この係止部１４から下方に向かって設けられ吊子ハゼ部２６の首部６８Ｋの一側に当接する一側側面下部１２Ｋとを備え、ハゼ部６８の一側に係止部１４が係止した状態で上面部１１の下面がハゼ部６８の上部に当接し、一側側面部１２の一側側面下部１２Ｋ側に透孔４１を設けたから、一側においてハゼ部６８の一側に係止部１４が係止すると共に、一側側面下部１２Ｋが首部６８Ｋに当接し、ハゼ部６８の他側に圧接するボルト４と協働して固定部２とハゼ部６８を強固に一体化する固定構造が得られ、また、一側側面下部１２Ｋ側に固着具４２であるタッピングネジ又はドリルネジの透孔４１を設けることにより、係止部１４による係止を損なうことなく、タッピングネジ又はドリルネジを首部６８Ｋに螺合することができ、さらに、固定部２の上面部１１がハゼ部６８の上部に当接するため、固定部２の高さを抑えることができる。
【００４７】
このように本実施例では、請求項６に対応して、雄螺子部５の表面に、接着剤がマイクロカプセル化された接着剤層３８を設けたから、雌螺子孔１５に雄螺子部５を螺合させる際、雄螺子部５の表面に設けられている接着剤層３８も雌螺子孔１５に入り込み、この結果、接着剤層３８にあるマイクロカプセルが破壊して接着剤がにじみ出て、接着剤が雌螺子孔１５と雄螺子部５とに介在して両者を固着でき、風等による振動などによってボルト４が緩むことをボルト４を締めるだけで確実に防止することができる。
【実施例２】
【００４８】
図５は本考案の実施例２を示し、上記実施例１と同一部分に同一符号を付し、その説明を省略して詳述すると、この例では、下の折板屋根５１Ａの上ハゼ部６７，下ハゼ部５７及び吊子３の吊子ハゼ部２６が円弧状のハゼ部６８Ａに用いる支持金具１を示し、支持金具１の固定部２の係止部１４は前記ハゼ部６８の一側に係止し、上面部１１の下面に前記ハゼ部６８Ａが当接し、固着具４２はハゼ部６８の首部６８Ｋに螺合する。
【００４９】
このように本実施例では、所謂、丸ハゼに用いた場合も、従来に比べて支持金具１の高さ寸法を抑えることができ、上記実施例１と同様な作用・効果を奏する。
【００５０】
尚、本考案は、本実施例に限定されるものではなく、本考案の要旨の範囲内で種々の変形実施が可能である。例えば、吊子は各種タイプのものを用いることができる。また、上，下ハゼ部，ハゼ折したハゼ部及び吊子ハゼ部の形状は適宜可能であり、例えば、ハゼ折したハゼ部の一側・他側方向の長さなどが異なるものでもよい。さらに、締付具は頭部が六角のボルトに限らず、丸皿や皿形などのボルトもよい。また、固着具は雄螺子部を有するネジが好ましいが、ハゼ部に打込んで固定する釘などでもよい。さらに、実施例では他側側面部に直接雌螺子孔を形成して設ける例を示したが、他側側面部に透孔を設け、この透孔に連通するナットを他側側面部に固定すれば、前記ナットの雌螺子孔が、他側側面部を設けた雌螺子孔となる。また、上下の折板屋根の間に断熱材を配置してもよい。
【符号の説明】
【００５１】
１  折板屋根用支持金具
２  固定部
３  吊子
４  ボルト（締付具）
５  雄螺子部
５Ｓ  先端（他側挟持部）
１１  上面部
１２  一側側面部
１２Ｋ  一側側面下部
１３  他側側面部
１４  係止部
１５  雌螺子孔
１６  透孔
１７  雄螺子棒
２３  底部
２５  立ち上り部
２６  吊子ハゼ部
３３  挿通孔
３５  ナット
３８  接着剤層
４１  透孔
４２  固着具
５１  上の折板屋根
５１Ａ  下の折板屋根
５７  下ハゼ部
６７  上ハゼ部
６８  ハゼ部
６８Ｋ  首部
【図１】
0003211090.tif 000003
【図２】
0003211090.tif 000004
【図３】
0003211090.tif 000005
【図４】
0003211090.tif 000006
【図５】
0003211090.tif 000007